(57)【要約】      （修正有）【課題】積み重ねたコンクリート型枠用パネルを、ずれないようにしっかりと保持でき、耐久性の高いコンクリート型枠用パネル結束具を提供する。【解決手段】長辺の両側面端部近傍に穴が形成されたコンクリート型枠用パネルＰを積み重ねた状態で保持するコンクリート型枠用パネル結束具Ｘとして、積み重ねたコンクリート型枠用パネル群の端部外周に嵌る枠体と、枠体に固定される、コンクリート型枠用パネル群の端面に当接する端部当接部と、枠体の両側にそれぞれ固定される貫通孔が形成された板体からなる耳部と、耳部ごとに設けられる、先端がコンクリート型枠用パネルの穴に入るように屈曲し、後端側は耳部の貫通孔を移動可能に通る棒体からなり、先端がコンクリート型枠用パネルの穴Ｐａに入り、コンクリート型枠用パネル群が端部当接部に当接した状態において後端部を先端側に移動不能に固定し得るよう形成されるフック３０とを設ける。【選択図】図４
0003187377.tif 000002
【実用新案登録請求の範囲】
【請求項１】
長辺の両側面端部近傍に穴が形成されたコンクリート型枠用パネルを複数積み重ねた状態で保持する結束具であって、
前記積み重ねたコンクリート型枠用パネル群の端部外周に嵌る枠体と、
前記枠体に固定される、前記枠体に嵌ったコンクリート型枠用パネル群の端面に当接する端部当接部と、
前記コンクリート型枠用パネル群が前記枠体に嵌った状態において、当該コンクリート型枠用パネル群の短辺方向に張り出す、貫通孔が形成された板体からなる、前記枠体の前記短辺方向両側にそれぞれ固定される耳部と、
前記各耳部ごとに設けられる、先端が前記コンクリート型枠用パネルの前記穴に入るように屈曲し、後端側は前記耳部の貫通孔を移動可能に通る棒体からなり、先端が前記コンクリート型枠用パネルの前記穴に入り、前記コンクリート型枠用パネル群が前記端部当接部に当接した状態において前記後端部を先端側に移動不能に固定し得るよう形成されるフックと
を有するコンクリート型枠用パネル結束具。
【請求項２】
前記耳部は前記枠体の両側のそれぞれに２以上設けられる請求項１に記載のコンクリート型枠用パネル結束具。
【請求項３】
前記枠体に嵌ったコンクリート型枠用パネル群の中の一のコンクリート型枠用パネルの前記穴と前記耳部の貫通孔とは、中心の高さが略一致するものである請求項１又は２に記載のコンクリート型枠用パネル結束具。
【請求項４】
前記フックの後端には雄ねじが形成され、当該後端に係合するナットを前記耳部に当接するようにして締めることで前記フックは、記後端部を先端側に移動不能に固定されるものである請求項１から３のいずれか１項に記載のコンクリート型枠用パネル結束具。
【考案の詳細な説明】
【技術分野】
【０００１】
本考案は、コンクリート型枠用パネルを重ねた状態で保持固定する結束具に関する。
【背景技術】
【０００２】
コンクリート型枠用パネルはコンクリート構造物の建築現場において大量に使用されるので、運搬に際しては重ねて結束することが多い。
コンクリート型枠用パネルの結束方法は、多くの場合、重ねたコンクリート型枠用パネルにポリプロピレンバンドを巻きつけ、専用の締結具を用いてポリプロピレンバンドの端部同士を固定することが行われている。
【考案の概要】
【考案が解決しようとする課題】
【０００３】
しかしながら、バンドで巻きつけていることで固定する場合、運搬時に積み重ねたコンクリート型枠用パネルがずれたり、ひどい場合にはバンドが切れて荷崩れを起こしたりすることがあり、また、野外に保管しているとバンドが日光により劣化してしまうという問題もある。
本考案は、このような問題に鑑みて、積み重ねたコンクリート型枠用パネルを、ずれないようにしっかりと保持でき、耐久性の高い結束具を提供することを課題とする。
【課題を解決するための手段】
【０００４】
上記課題を解決するために、本考案は次のような構成を有する。
請求項１に記載の考案は、長辺の両側面端部近傍に穴が形成されたコンクリート型枠用パネルを複数積み重ねた状態で保持するコンクリート型枠用パネル結束具として、前記積み重ねたコンクリート型枠用パネル群の端部外周に嵌る枠体と、前記枠体に固定される、前記枠体に嵌ったコンクリート型枠用パネル群の端面に当接する端部当接部と、前記枠体の両側にそれぞれ固定される、前記コンクリート型枠用パネル群が前記枠体に嵌った状態において、当該コンクリート型枠用パネル群の短辺方向に張り出す、貫通孔が形成された板体からなる、前記枠体の前記短辺方向両側にそれぞれ固定される耳部と、前記耳部ごとに設けられる、先端が前記コンクリート型枠用パネルの前記穴に入るように屈曲し、後端側は前記耳部の貫通孔を移動可能に通る棒体からなり、先端が前記コンクリート型枠用パネルの前記穴に入り、前記コンクリート型枠用パネル群が前記端部当接部に当接した状態において前記後端部を先端側に移動不能に固定し得るよう形成されるフックとを有するものである。
請求項２に記載の考案は、前記コンクリート型枠用パネル結束具において、前記耳部は前記枠体の両側のそれぞれに２以上設けられるものである。
請求項３に記載の考案は、前記コンクリート型枠用パネル結束具において、前記枠体に嵌ったコンクリート型枠用パネル群の中の一のコンクリート型枠用パネルの前記穴と前記耳部の貫通孔とは中心の高さが略一致するものである。
請求項４に記載の考案は、コンクリート型枠用パネル結束具において、前記フックの後端には雄ねじが形成され、当該後端に係合するナットを前記耳部に当接するようにして締めることで前記フックは、記後端部を先端側に移動不能に固定されるものである。
【考案の効果】
【０００５】
以上のような構成により、本考案は次のような効果を奏する。
請求項１に記載の考案は、重ねたコンクリート型枠用パネルの端部に枠体を嵌め、フックの先端をコンクリート型枠用パネルの一つの穴に挿入し、端部当接部をコンクリート型枠用パネル群の端部に当接させるとともに、フックの後端を先端側に移動しないように固定すればコンクリート型枠用パネル群は枠体に嵌った状態で枠体から抜けなくなるので、この状態で保持固定することができる。そして、コンクリート型枠用パネル群の端部を枠体に嵌め、端部当接部で端部を押さえるので積み重ねたコンクリート型枠用パネル群がずれることなく、しっかりと保持でき、また、枠体は剛体であるのでベルトよりも劣化しにくい。
請求項２に記載の考案は、前記耳部を２以上設けることでより多くの箇所で枠体とコンクリート型枠用パネル群とをフックにより固定できるのでよりしっかりと締結することができる。
請求項３に記載の考案は、フックを固定した状態でフックとコンクリート型枠用パネルに平行になるのでフック先端を挿入するコンクリート型枠用パネルの穴を容易に特定することができる。
請求項４に記載の考案は、フック後端にボルトナット構造を採用することで簡易な構造でフック後端を先端側に移動しなよう固定することができる。
【図面の簡単な説明】
【０００６】
【図１】実施形態に係るコンクリート型枠用パネル結束具の斜視図である。
【図２】図１のA-A線断面図である。
【図３】結束するコンクリート型枠用パネル斜視図である。
【図４】使用手順を示す第一の斜視図である。
【図５】使用手順を示す第二の斜視図である。
【図６】使用手順を示す第三の斜視図である。
【考案を実施するための形態】
【０００７】
以下、本考案の実施の形態について、図面を参照しながら説明する。
図１に本実施形態に係るコンクリート型枠用パネル結束具Ｘの斜視図を示す。コンクリート用型枠パネル結束具Ｘは、本体枠１０、横桟２０、フックボルト３０、ナット４０より形成される。本体枠１０はそれぞれＬアングルからなる２本の縦アングル１１と２本の横アングル１２を互いに一面同士が対向し、当該一面に直交する他面同士は同一面に存するように四角く組み合わせて互いに端部を溶接固定したものである。縦アングル１１の長さは、結束するコンクリート型枠用パネルを１５枚重ねた厚さと同じもしくは若干大きく、横アングル１２の長さは結束するコンクリート型枠用パネルの横幅と同じもしくは若干大きい。これにより、縦アングル１１の互いに対向する面及び横アングル１２の互いに対向する面を有する四角い枠状部分が、コンクリート型枠用パネルを１５枚結束した状態で端部外周に嵌る枠体を構成し、縦アングル１１の同一平面に存する面を構成する板状部分が前記枠体に嵌ったコンクリート型枠用パネル群の端面に当接する端部当接部を構成する。
【０００８】
横桟２０は両端が半円状に形成された板体により構成され、両端が側方に突出するようにして横アングル１２に平行に縦アングル１１に溶接固定される。横桟２０には縦アングル１１から側方に突出する部分に貫通孔が形成されている。貫通孔はフックボルト３０の外径よりも数ミリ大きく形成されるか、横方向に長い長穴として形成される。この縦アングル１１から側方に突出する部分が耳部を構成する。横桟２０は２枚設けられ、それぞれ本体枠１０を１５枚重ねたコンクリート型枠用パネル群に嵌めたときに、上から三枚目のコンクリート型枠用パネルの後述する穴（Ｐａ）と耳部の貫通孔とが一致する位置及び下から三枚目のコンクリート型枠用パネルの後述する穴（Ｐａ）の高さと耳部お貫通孔とが一致する位置に固定される。
【０００９】
図２に図１のＡ−Ａ線断面図を示す。なお、図２においてナット４０は緩んだ状態を示している。フックボルト３０は先端が９０度よりもやや鋭角に折れ曲がった市販のフックボルトであり、後述するコンクリート型枠用パネルの穴（Ｐａ）の位置に適合する外径と長さを有するものが選択される。ナット４０はフックボルトに係合する市販のナットである。
【００１０】
次に以上のような構成を有するコンクリート型枠用パネル結束具Ｘの使用方法について説明する。図３に結束するコンクリート型枠用パネルＰの例を示す。ここで用いるコンクリート型枠用パネルＰは合成樹脂性でありコンクリート打設面の反対側が開放した扁平な箱状に形成される。そして、側周面には、パネル同士を連結する際に使用する穴が所定間隔で形成されている。このうち長辺の端部に近い穴Ｐａがフックボルト３０の入る穴として利用される。
まず、図４に示すように、上述した構成を有するコンクリート型枠用パネルＰを１５枚重ねた状態とし、コンクリート型枠用パネル結束具Ｘの本体枠１０を重ねたコンクリート型枠用パネル群の端部に嵌める。そして、フックボルト３０の先端を最も近いコンクリート型枠用パネルＰの穴Ｐａに差し入れる。この際、ナット４０は緩めた状態としておく。横桟２０の貫通孔はフックボルト３０の外径よりも大きいか、長穴になっているので、フックボルト３０の先端は横方向にある程度移動することができ、容易にフックボルト３０の先端をコンクリート型枠用パネルＰの穴Ｐａに差し入れることができる。すべてのフックボルト３０の先端を穴Ｐａに差し入れたらナット４０を締めて、図５に示すようにフックボルト３０の先端と本体枠１０との間にコンクリート型枠用パネルＰを保持固定する。同様の操作により図６に示すようにコンクリート型枠用パネル群の逆側の端部にもコンクリート型枠用パネル結束具Ｘを固定すれば、コンクリート型枠用パネルの結束作業は完了する。
本実施形態に係るコンクリート型枠用パネル結束具Ｘは図６に示すように積み重ねたコンクリート型枠用パネルをしっかりと保持するので、運搬時にずれることがない。また、コンクリート型枠用パネルのずれによる崩落などの可能性が少ないので、運搬、収納時に積み重ねたもの同士をさらに高く積み重ねることもできる。
【００１１】
なお、上記実施形態ではコンクリート型枠用パネルを１５枚重ねたものに適合できるコンクリート型枠用パネル結束具Ｘを例示したが、枠体の大きさを適宜変えることで重ねるコンクリート型枠用パネルの枚数も適宜変更することができる。また、枠体の縦方向を伸縮可能に形成することで重ねるコンクリート型枠用パネルの枚数に柔軟に対応できるようにしてもよい。
そして、フックとして上記実施形態ではフックボルトを利用しているが、先端がコンクリート型枠用パネルの穴に嵌るように屈曲した棒体であれば足りる。また、後端を固定する方法はボルトナットでなくてもよく、例えば、フックの後端側は直線上のラチェット機構としたり、任意のロック機構により先端への移動を規制したり等、種々の固定方法を採用することができる。
さらに上記実施形態では合成樹脂性のコンクリート型枠用パネルを用いているが、木製のコンクリート型枠用合板の側面の適合な位置にフックの先端を挿入する穴を形成すれば、コンクリート型枠用合板に適用することも可能である。
【符号の説明】
【００１２】
Ｘ  コンクリート型枠用パネル結束具
１０  本体枠
２０  端部当接部
３０  フック
４０  ナット
【図１】
0003187377.tif 000003
【図２】
0003187377.tif 000004
【図３】
0003187377.tif 000005
【図４】
0003187377.tif 000006
【図５】
0003187377.tif 000007
【図６】
0003187377.tif 000008